(57)【要約】【課題】この発明は、全天候型の跳び箱であって、足掛ステップを跳び箱のサイドに突き出さないようにして、跳び箱運動の練習をしやすくした足掛ステップ付き跳び箱に関する。【解決手段】足掛ステップ付き跳び箱１は、強化プラスチック製の跳び箱本体１０の側壁面１０ｂの中途位置に、その側壁面１０ｂから内側に凹窩する足掛凹部２１が一体に形成されており、その凹部底壁２４に足掛用の踏面を形成して足掛ステップ２０とすることを特徴とする。【選択図】　図１
2004081366.tif 000002
【特許請求の範囲】
【請求項１】
強化プラスチック製の跳び箱本体の側壁面の中途位置に、その側壁面から内側に凹窩する足掛凹部が一体に形成されており、その凹部底壁に足掛用の踏面が形成されて足掛ステップとなっていることを特徴とする足掛ステップ付き跳び箱。
【請求項２】
跳び箱本体の頂壁部の上に、基板上にクッション部を設け防水性カバーで覆った鞍部を固着すると共に、前記跳び箱本体の頂壁部には、跳び箱本体の内部中空に連通するドレイン孔を穿設してなることを特徴とする請求項１に記載の足掛ステップ付き跳び箱。
【発明の詳細な説明】
【０００１】
【発明の属する技術分野】
この発明は、跳び箱の側壁面の中途位置に使用者が足を掛止めることができる踏面を備えた跳び箱の改良に関する。
【０００２】
【従来の技術】
従来の跳び箱は、ほとんどが箱体を横に複数分割した枠体を積重ねる方式であり、箱体は木製であって、上方に設けた鞍部には帆布マットが使用されていた。
近時、ウレタンをビニールターポリン（補強布入り塩ビシート）でくるんだ製品や、ＦＲＰを使用した箱体をそのまま跳び箱として用いる製品が現れている。
素材が木製の跳び箱は、重いため移動に人手を要し、また、雨などに濡れると傷むなどの問題があった。
また、ウレタンをビニールターポリンでくるんだ跳び箱は強度に劣り、またビニールシートは熱に弱い上、たるみやすく、使いづらいという問題がある。
更に、ＦＲＰ製の跳び箱は、頂部に鞍部としてのマット部が無い箱形なので、頂部との衝撃に対する緩衝手段が施されておらず、ぶつかった場合に危険である。
【０００３】
また、これらの跳び箱には、左右側方にステップが取り付けられておらず、上手く跳び越せない児童などの跳躍初心者が練習するには難点があった。
即ち、跳び箱運動は、助走スピードや着手位置の問題よりも、むしろ跳躍者が腕で体重を支え、手首と肩を支点として体重を前方に移動させることが必要であり、跳躍初心者が跳び越えられないのは上記基本的な運動感覚が身についていないことが原因である。
この腕による体重移動の練習を効果的にくりかえし練習するには、跳び箱のサイドに足掛ステップを設け、跳躍者の脚力によって蹴り出す反動力を利用するのがよいことが知られている。
そのために、跳び箱に足掛ステップを取り付けた構造が種々提案されているが、いずれも前記ステップは跳び箱より外側に飛び出した踏板や踏み台からなっており、跳び箱に一体に取り付けられ、あるいは不使用時にのみ折畳み可能に取り付けられている。
このように、従来構造では、足掛ステップが跳び箱のサイドに突き出しているので、跳び越そうする跳躍初心者に恐怖心を与える虞れがあった。
【０００４】
【発明が解決しようとする課題】
この発明は、上記欠点を解消するために創案されたものであって、その主たる課題は、全天候型の跳び箱として使用することができると共に、足掛ステップを跳び箱のサイドに突き出さないようにして、跳び箱運動の練習をしやすくした足掛ステップ付き跳び箱を提供することにある。
【０００５】
【問題点を解決するための手段】
上記課題を解決するために、請求項１の発明では、
強化プラスチック製の跳び箱本体の側壁面の中途位置に、その側壁面から内側に凹窩する足掛凹部が一体に形成されており、その凹部底壁に足掛用の踏面を形成して足掛ステップとする、という技術的手段を講じている。
また、請求項２の発明では、
上記跳び箱本体の頂壁部の上に鞍部を固着すると共に、前記跳び箱本体の頂壁部には、跳び箱本体の内部中空に連通するドレイン孔を穿設している、という技術的手段を講じている。
【０００６】
【発明の実施の形態】
以下に、この発明の足掛ステップ付き跳び箱の好適実施例について、図面を参照しながら説明する。
図１に示す跳び箱１は、上部に鞍部２を有し、該鞍部２と固定された略ボックス状の跳び箱本体１０に足掛ステップ２０を有する構成からなっている。
【０００７】
跳び箱本体１０は、ＦＲＰ（強化プラスチック）製であって、底面が開口する略ボックス状からなっている。
即ち、跳び箱本体１０は、曲面を基調とした一体成形からなっており、頂壁面１０ａと、左右の側壁面１０ｂと、前後壁面１０ｃとからなっており、側壁面１０ｂと前後壁面１０ｃは、上に向かって漸次幅狭となるテーパー状に形成されている。
【０００８】
この跳び箱本体１０は、突起形状がないので人の身体とぶつかっても傷つけたり怪我をする虞れがない。
また、ＦＲＰ製であって、梁や桁材を用いる必要がなく、シェル構造となるので、児童等が内部中空にもぐり込んでも安全である。
【０００９】
そして、頂壁面１０ａには、後述の鞍部２を固定するためのボルト孔１１と、貫通孔であるドレイン孔１２とが穿設されている。
ドレイン孔１２は、跳び箱本体１０の内部中空に連通しており、鞍部２と跳び箱本体１０との隙間に浸入してきた雨水を頂壁面１０ａに留めずに、跳び箱１の設置面に排水しうる。
【００１０】
次に、左右の側壁面１０ｂには、その中途位置に、足掛ステップ２０を有している。
この足掛ステップ２０は、上記側壁面１０ｂの一部に一体に形成されて、跳び箱本体１０の内側に凹窩する足掛凹部２１からなっている。
【００１１】
足掛凹部２１は、図３で一層明瞭なように、前記側壁面１０ｂの上部から徐々に内側に傾斜する凹部側壁２２と、該凹部側壁２２の前後端縁から側壁面１０ｂの表面まで延びる一対の凹部周壁２３と、前記凹部側壁２２と凹部周壁２３に囲まれて前記側壁面１０ｂの表面まで延びる略水平に設定された凹部底壁２４とからなっている。
【００１２】
本実施例では、上記凹部側壁２２を傾斜面としたが、段差状に内側に窪むように、内側に延びる凹部頂壁とこれと交差して下に延びる凹部側壁とから構成されるようにしてもよい（図示せず）。
【００１３】
次に、凹部底壁２４は、跳躍者の足が載るように平面略長方形状の踏面となっている。
この凹部底壁２４は、本実施例の場合に図５で示すように、平面から見て、鞍部２の外側にほぼ半分が突出するように形成され、該凹部底壁２４の上面には滑り止め模様２５が施されており、本実施例では、一例としてグリット状のノンスリップパターンで表面がシボ付きに形成されている。
本実施例では、左右の側壁面１０ｂの双方に足掛凹部２１が形成されており、一対の足掛ステップ２０が、跳び箱本体１０に一体に形成されている。
【００１４】
従って、跳躍者が跳び箱１の鞍部２に乗った状態で、足をやや内側に締めるだけで前記踏面となる凹部底壁２４に足を掛けることができる。
そこで、跳躍者は、脚力で足掛ステップ２０を蹴り出した際の反動力を利用して、前記跳び箱運動における身体の動きを習得することができる。
【００１５】
次に、前後壁面１０ｃには、その下方位置にそれぞれ前後に貫通する手掛開孔部１３が形成されている。
この手掛開孔部１３は、図示例の場合、丸穴からなっており、その内周縁部に沿ってリングゴム１４が被覆されている。
従って、跳び箱１を移動させる場合に、この手掛開孔部１３に手を掛けて所望の場所に持ち運ぶことができ、また手掛開孔部１３の縁部に直接、人の手が触ることがないので安全である。
【００１６】
この跳び箱本体１０の下方位置には、その外周に沿って段差状に屈曲する折り返し部１０ｄが形成されており、一連に曲成された左右の側壁部１０ｂと前後壁部１０ｃの強度を高めている。
【００１７】
また、跳び箱本体１０の下端は、折り返し部１０ｄから垂下するフランジ部１０ｅとなっており、該フランジ部１０ｅの下端をゴムライナー１５で覆っている。
なお、１６はゴムライナー１５をフランジ１０ｅに固定するための固定具の一例としてのリベットである。
【００１８】
ゴムライナー１５を用いることで、跳び箱１の不用意な滑りを防止することができる。
また、跳び箱１を屋内の床板上に設置した場合には、床面を傷つけることがない。
同様に跳び箱本体の下端縁部が人の身体に接触しても安全である。
【００１９】
次に、鞍部２は、硬質の基板部５上にクッション部４を重ね、カバー３で覆って固定した構造からなっている。
即ち、基板部５は、本実施例では硬質発泡ポリプロピレンなどの樹脂板からなっており、跳び箱本体１０と固定するためのナット７が埋め込まれている。
ここで埋め込みナット７には、一例として鬼目ナットが用いられている。
【００２０】
上記基板部５上に接着などで固定されたクッション部４は、独立発泡ポリプロピレンなどのブロック状の弾性材からなっている。
またカバー３は、表裏面に防水加工したナイロン繊維などの防水布からなっており、上記基板部５に固定されたクッション部４を被覆し、端部を基板部５の裏面でタッカーなどの固定具により固定している。
【００２１】
前記鞍部２の上面には、跳び箱運動を行う際に、跳躍者が手を付く位置をガイドするための着手ライン６が施される。
この着手ライン６は、カバー３上にシルクスクリーン印刷によって付されるが、着色したり、ベルトを貼り付けたり縫いつけるなど公知手法により形成することができる。
【００２２】
上記のように構成された鞍部２を、跳び箱本体１０の頂壁面１０ａ上に載置し、前記基板部５の埋め込みナット７と、前記頂壁面１０ａのボルト孔１１とを整合させて、跳び箱本体１０の内部中空側からボルト１７を挿入し、前記ナット７に緊締して、跳び箱本体１０に鞍部２を固定して足掛ステップ付き跳び箱１が組み立てられる（図２参照）。
【００２３】
これにより、ＦＲＰ製の跳び箱本体１０の上部に、クッション部４を内蔵した鞍部２が形成されるので、鞍部２への衝撃力が緩衝され、児童などの跳躍者にとっても、また、指導者にとっても安心感がある。
【００２４】
この足掛ステップ付き跳び箱１は、図６に示すように、上下に積み重ねて収納してもよい。
この場合、足掛ステップ２０の凹部底壁２４の裏面が、跳び箱本体１の内部中空側に突出するので、同一構造の足掛ステップ付き跳び箱１を積み重ねる際に、下段の跳び箱１の鞍部２が上段の跳び箱１の前記凹部底壁２４の裏面に衝合して積み重ねられる。
この際に、凹部底壁２４の裏面に鞍部２を掛止めて位置決めする手段（図示せず）を設けておけばズレることなく積み重ねられる。
【００２５】
また、この足掛ステップ付き跳び箱１には、図７に示すように、その下端に１または複数の補助台部３０を掛止めて、跳び箱１の高さを所望の高さに調整するようにしてもよい。
この補助台部３０は、漸次幅広くに広がる截頭角錐形状からなっており、その上端には、跳び箱下端、または補助台部下端に掛止め可能な公知の掛止構造（図示せず）が形成されており、跳び箱１に１段ないし複数段を積み重ねることができるようになっている。
この場合、補助台部３０はＦＲＰの枠体からなると共に、下端にはゴムライナーがリベットなどで固定されているが、ゴムライナーを設けなくてもよい。
その他の構成は、前記実施例と同様であるので説明を省略する。
【００２６】
この発明は、上記各実施例の構造に限定されるものではない。
例えば、上記実施例において、足掛ステップは、左右の側壁にそれぞれ形成した場合を例示したが、いずれか一方に形成した場合であってもよい。
また、手掛開口部は跳び箱本体に設けなくてもよく、また設ける場合であっても前後壁面に限らず、左右の側壁面に形成してもよい。
その他、要するにこの発明の要旨を変更しない範囲で種々設計変更しうること勿論である。
【００２７】
【発明の効果】
この発明は上記構成からなっているので、足掛ステップ付き跳び箱は、その構成部材を防水処理し、または耐水素材を使用することで、屋内・屋外あるいは湿度が高い場所でも、支障なく使用可能な全天候型とすることができる。
また、足掛ステップを有しているので、跳越初心者の児童などが繰り返し跳び箱運動の基本練習を行うことができ、特に、跳箱を跳ぼうとする際に、足掛ステップは正面の助走位置からは見えず、通常の跳箱のように見えるので、跳躍者に心理的な恐怖感や違和感を与えることはない。
この足掛ステップは跳び箱本体に一体に凹窩して成型されているので、取付や収納などの手間が不要であり、また児童が一人で独力で跳箱に乗り、自由に練習することができる。
更に、この足掛ステップ付き跳び箱は、全体として一体形であり、ＦＲＰからなるので軽量であり、持ち運びに際して多くの人手を要さず、容易に移動することができる。
【図面の簡単な説明】
【図１】この発明の実施例を示す足掛ステップ付き跳び箱の斜視図である。
【図２】同組立状態を示す一部を破断した分解斜視図である。
【図３】図１の縦断面図である。
【図４】同側面図である。
【図５】同平面図である。
【図６】跳び箱の積み重ね状態を示す断面図である。
【図７】跳び箱に補助台部を積み重ねた状態を示す正面図である。
【符号の説明】
１　　踏面付き跳び箱
２　　鞍部
３　　カバー
４　　クッション部
５　　基板部
６　　着手ライン
７　　埋め込みナット
１０　　跳び箱本体
１０ａ　頂壁面
１０ｂ　側壁面
１０ｃ　前後壁面
１１　　ボルト孔
１２　　ドレイン孔
１３　　手掛開孔部
１４　　リングゴム被覆
１０ｄ　　折り返し部（屈曲部）
１０ｅ　フランジ部
１５　　ゴムライナー
１６　　リベット
１７　　ボルト
２０　　足掛ステップ
２１　　足掛凹部
２２　　凹部側壁
２３　　凹部周壁
２４　　凹部底壁
２５　　滑り止め模様
【図１】
2004081366.tif 000003
【図２】
2004081366.tif 000004
【図３】
2004081366.tif 000005
【図４】
2004081366.tif 000006
【図５】
2004081366.tif 000007
【図６】
2004081366.tif 000008
【図７】
2004081366.tif 000009